【手続補正書】
【提出日】平成21年9月29日(2009.9.29)
【手続補正１】
【補正対象書類名】明細書
【補正対象項目名】発明の名称
【補正方法】変更
【補正の内容】
【発明の名称】画像表示装置、画像表示方法および記憶媒体
【手続補正２】
【補正対象書類名】明細書
【補正対象項目名】特許請求の範囲
【補正方法】変更
【補正の内容】
【特許請求の範囲】
【請求項１】  接続された複数の画像記録装置に記録された画像のそれぞれを表示部に表示することが可能な画像表示装置であって、
接続された第１の画像記録装置に記録されている画像の付加情報と、接続された第２の画像記録装置に記録されている画像の付加情報を取得する取得手段と、
前記取得手段により取得された付加情報に基づいて、前記第１の画像記録装置に記録されている画像と、前記第２の画像記録装置に記録されている画像との間の関連性の有無を検出する検出手段と、
前記検出手段により関連性があることが検出された場合、前記第１の画像記録装置に記録されている画像と、前記第２の画像記録装置に記録されている画像との間に関連性があることを示すアイコンを前記表示部に表示するように制御する表示制御手段と
を備えることを特徴とする画像表示装置。
【請求項２】  前記取得手段は、前記第１の画像記録装置に記録されている動画像の録画開始日時および録画終了日時を示す付加情報と、前記第２の画像記録装置に記録されている静止画像の撮影日時を示す付加情報とを取得し、
前記検出手段は、前記第２の画像記録装置に記録されている静止画像の撮影日時が、前記第１の画像記録装置に記録されている動画像の録画開始日時と録画終了日時との間に含まれる場合に、前記第１の画像記録装置に記録されている動画像と、前記第２の画像記録装置に記録されている静止画像との間に関連性があることを検出することを特徴とする請求項１に記載の画像表示装置。
【請求項３】  前記表示制御手段は、前記関連性があることを示すアイコンが選択された場合に、前記第１の画像記録装置に記録されている動画像の録画開始日時および録画終了日時の間のシーンと、該動画像と関連性を有し前記第２の画像記録装置に記録されている静止画像の撮影日時との対応関係を、前記表示部に表示するように制御することを特徴とする請求項２に記載の画像表示装置。
【請求項４】  前記取得手段は、前記第１の画像記録装置に記録されている１つ以上の画像の付加情報と、前記第２の画像記録装置に記録されている１つ以上の画像の付加情報を取得し、
前記検出手段は、前記第１の画像記録装置に記録されている１つ以上の画像のそれぞれと、前記第２の画像記録装置に記録されている１つ以上の画像のそれぞれとの間の関連性の有無を検出し、
前記表示制御手段は、前記検出手段により前記第１の画像記録装置に記録されている少なくとも１つの画像と前記第２の画像記録装置に記録されている少なくとも１つの画像との間に関連性があることが検出された場合に、前記関連性があることを示すアイコンを前記表示部に表示するように制御することを特徴とする請求項１に記載の画像表示装置。
【請求項５】  接続された複数の画像記録装置に記録された画像のそれぞれを表示部に表示するための画像表示方法であって、
接続された第１の画像記録装置に記録されている画像の付加情報と、接続された第２の画像記録装置に記録されている画像の付加情報を取得する取得工程と、
前記取得工程により取得された付加情報に基づいて、前記第１の画像記録装置に記録されている画像と、前記第２の画像記録装置に記録されている画像との間の関連性の有無を検出する検出工程と、
前記検出工程により関連性があることが検出された場合、前記第１の画像記録装置に記録されている画像と、前記第２の画像記録装置に記録されている画像との間に関連性があることを示すアイコンを前記表示部に表示するように制御する表示制御工程と
を備えることを特徴とする画像表示方法。
【請求項６】  前記取得工程は、前記第１の画像記録装置に記録されている動画像の録画開始日時および録画終了日時を示す付加情報と、前記第２の画像記録装置に記録されている静止画像の撮影日時を示す付加情報とを取得し、
前記検出工程は、前記第２の画像記録装置に記録されている静止画像の撮影日時が、前記第１の画像記録装置に記録されている動画像の録画開始日時と録画終了日時との間に含まれる場合に、前記第１の画像記録装置に記録されている動画像と、前記第２の画像記録装置に記録されている静止画像との間に関連性があることを検出することを特徴とする請求項５に記載の画像表示装置。
【請求項７】  前記表示制御工程は、前記関連性があることを示すアイコンが選択された場合に、前記第１の画像記録装置に記録されている動画像の録画開始日時および録画終了日時の間のシーンと、該動画像と関連性を有し前記第２の画像記録装置に記録されている静止画像の撮影日時との対応関係を、前記表示部に表示するように制御することを特徴とする請求項６に記載の画像表示装置。
【請求項８】  前記取得工程は、前記第１の画像記録装置に記録されている１つ以上の画像の付加情報と、前記第２の画像記録装置に記録されている１つ以上の画像の付加情報を取得し、
前記検出工程は、前記第１の画像記録装置に記録されている１つ以上の画像のそれぞれと、前記第２の画像記録装置に記録されている１つ以上の画像のそれぞれとの間の関連性の有無を検出し、
前記表示制御工程は、前記検出工程により前記第１の画像記録装置に記録されている少なくとも１つの画像と前記第２の画像記録装置に記録されている少なくとも１つの画像との間に関連性があることが検出された場合に、前記関連性があることを示すアイコンを前記表示部に表示するように制御することを特徴とする請求項５に記載の画像表示方法。
【請求項９】  請求項５から請求項８までのいずれか１項に記載の画像表示方法の各工程をコンピュータに実行させるためのプログラムが格納されたコンピュータ読取り可能な記憶媒体。
【手続補正３】
【補正対象書類名】明細書
【補正対象項目名】０００１
【補正方法】変更
【補正の内容】
【０００１】
【発明の属する技術分野】
本発明は、複数の画像記録装置により記録された画像のそれぞれを表示部に表示する画像表示装置、画像表示方法および記憶媒体に関する。
【手続補正４】
【補正対象書類名】明細書
【補正対象項目名】０００９
【補正方法】変更
【補正の内容】
【０００９】
本発明の目的は、複数の画像記録装置により記録された画像を関連付けて表示することができる画像表示装置、画像表示方法および記憶媒体を提供することにある。
【手続補正５】
【補正対象書類名】明細書
【補正対象項目名】００１０
【補正方法】変更
【補正の内容】
【００１０】
【課題を解決するための手段】
本発明の画像表示装置は、接続された複数の画像記録装置に記録された画像のそれぞれを表示部に表示することが可能な画像表示装置であって、接続された第１の画像記録装置に記録されている画像の付加情報と、接続された第２の画像記録装置に記録されている画像の付加情報を取得する取得手段と、前記取得手段により取得された付加情報に基づいて、前記第１の画像記録装置に記録されている画像と、前記第２の画像記録装置に記録されている画像との間の関連性の有無を検出する検出手段と、前記検出手段により関連性があることが検出された場合、前記第１の画像記録装置に記録されている画像と、前記第２の画像記録装置に記録されている画像との間に関連性があることを示すアイコンを前記表示部に表示するように制御する表示制御手段とを備えることを特徴とする。
【手続補正６】
【補正対象書類名】明細書
【補正対象項目名】００２３
【補正方法】削除
【補正の内容】
【手続補正７】
【補正対象書類名】明細書
【補正対象項目名】００２４
【補正方法】削除
【補正の内容】
【手続補正８】
【補正対象書類名】明細書
【補正対象項目名】００２５
【補正方法】削除
【補正の内容】
【手続補正９】
【補正対象書類名】明細書
【補正対象項目名】００２６
【補正方法】削除
【補正の内容】
【手続補正１０】
【補正対象書類名】明細書
【補正対象項目名】００２７
【補正方法】削除
【補正の内容】
【手続補正１１】
【補正対象書類名】明細書
【補正対象項目名】００２８
【補正方法】削除
【補正の内容】
【手続補正１２】
【補正対象書類名】明細書
【補正対象項目名】００２９
【補正方法】削除
【補正の内容】
【手続補正１３】
【補正対象書類名】明細書
【補正対象項目名】００３０
【補正方法】削除
【補正の内容】
【手続補正１４】
【補正対象書類名】明細書
【補正対象項目名】００３１
【補正方法】削除
【補正の内容】
【手続補正１５】
【補正対象書類名】明細書
【補正対象項目名】００３２
【補正方法】削除
【補正の内容】
【手続補正１６】
【補正対象書類名】明細書
【補正対象項目名】００３３
【補正方法】削除
【補正の内容】
【手続補正１７】
【補正対象書類名】明細書
【補正対象項目名】００３４
【補正方法】削除
【補正の内容】
【手続補正１８】
【補正対象書類名】明細書
【補正対象項目名】００３５
【補正方法】削除
【補正の内容】
【手続補正１９】
【補正対象書類名】明細書
【補正対象項目名】００３６
【補正方法】変更
【補正の内容】
【００３６】
本発明の画像表示方法は、接続された複数の画像記録装置に記録された画像のそれぞれを表示部に表示するための画像表示方法であって、接続された第１の画像記録装置に記録されている画像の付加情報と、接続された第２の画像記録装置に記録されている画像の付加情報を取得する取得工程と、前記取得工程により取得された付加情報に基づいて、前記第１の画像記録装置に記録されている画像と、前記第２の画像記録装置に記録されている画像との間の関連性の有無を検出する検出工程と、前記検出工程により関連性があることが検出された場合、前記第１の画像記録装置に記録されている画像と、前記第２の画像記録装置に記録されている画像との間に関連性があることを示すアイコンを前記表示部に表示するように制御する表示制御工程とを備えることを特徴とする。
【手続補正２０】
【補正対象書類名】明細書
【補正対象項目名】００４８
【補正方法】削除
【補正の内容】
【手続補正２１】
【補正対象書類名】明細書
【補正対象項目名】００６６
【補正方法】変更
【補正の内容】
【００６６】
デジタルカメラ５は、静止画を撮影し、メモリカード６に記録する。このメモリカード６は、デジタルカメラ５で撮影された静止画を記録するための、書換え可能な不揮発性メモリである。このメモリカード６は、上述したように、ＴＶ装置１のメモリカードＩ／Ｆ部１７０に挿入可能であり、ＴＶ装置１は、装着されたメモリカード６から記録された静止画を読み出して見ることができる。
【手続補正２２】
【補正対象書類名】明細書
【補正対象項目名】０１２４
【補正方法】変更
【補正の内容】
【０１２４】
この再生画面表示が行われると、図１６に示すように、ＴＶ装置１の表示器１２２には、その画面右下位置に操作パネルが表示され、ＴＶ視聴者がリモコン装置２の上下左右のカーソルキー２５７と選択キー２５８により上記操作パネルを操作する（フォーカスを移動させ、実行させる）ことによって、ＤＶＣ装置３に対し、再生、停止、早送りなどの操作を行うことができる。これにより、ＤＶＣ装置３による画像再生、停止、巻き戻し、早送りなどが行われ、各動作に応じた画像の表示が行われる。また、リモコン装置２のＤＶＣ装置３に対する操作キー（図４の各キー２６１〜２６６）を操作することによっても、再生、停止、早送りなどの操作をすることもできる。なお、図１６中、画面左下に表示されるアイコンと文字は、画面の入力ソースがＤＶＣ装置３であることを示すためのものである。
【手続補正２３】
【補正対象書類名】明細書
【補正対象項目名】０１７９
【補正方法】変更
【補正の内容】
【０１７９】
さらに、上述の各実施の形態では、ＤＶＣ装置、メモリカードを直接、ＴＶ装置に接続したが、モデム部１８０を経由して他の場所の装置と接続し、モデム経由で、画像データの送受信、ＡＶ装置の操作を行うことも可能である。
【手続補正２４】
【補正対象書類名】明細書
【補正対象項目名】０１８５
【補正方法】変更
【補正の内容】
【０１８５】
【発明の効果】
以上説明したように、本発明によれば、複数の画像記録装置により記録された画像を関連付けて表示することができる。
【手続補正２５】
【補正対象書類名】明細書
【補正対象項目名】０１８６
【補正方法】削除
【補正の内容】
【手続補正２６】
【補正対象書類名】明細書
【補正対象項目名】０１８７
【補正方法】削除
【補正の内容】
【手続補正２７】
【補正対象書類名】明細書
【補正対象項目名】０１８８
【補正方法】削除
【補正の内容】